(57)【特許請求の範囲】
【請求項１】
柔軟性のある熱可塑性合成樹脂薄フィルムの一面に平坦面を介して柔軟性のある果実収納凹部を塑性変形により形成し、
かつ上記薄フィルムの周囲に柔軟性のある係合用折曲部を形成し、
上面開口有底トレーの外周枠により構成される上面開口部分に、上記熱可塑性合成樹脂薄フィルムを被覆して、該薄フィルムをその上記一面が上記開口部分に水平方向に伸張した状態で張設し、
かつ上記張設状態で上記薄フィルムと上記外周枠とを接合し、
上記果実収納凹部に果実を収納した状態において、上記果実収納凹部と上記トレーの底板間に空間を介在させることにより、上記フィルムにより上記果実を宙吊り状態で支持し得るように構成し、
上記外周枠における上記果実収納凹部の開口上縁に近接する部分に、上記外周枠を凹状に切り欠いた切欠部を設け、上記薄フィルムの上記係合用折曲部により上記切欠部を被覆するように構成したものであることを特徴とする果実収納トレー。
【請求項２】
上記熱可塑性合成樹脂薄フィルムの上記果実収納凹部を上記平坦面を介して複数形成し、
上面開口有底トレーの底面に上方向きの支持突起を設け、該支持突起の上端により上記熱可塑性合成樹脂薄フィルムの上記果実収納凹部間の裏面側を支持するように構成したものであることを特徴とする請求項１記載の果実収納トレー。
【請求項３】
上記切欠部は、上記複数の果実収納凹部の各開口上縁に近接する外周枠に、各果実収納凹部に対応して設けられているものであることを特徴とする請求項２記載の果実収納トレー。
【請求項４】
上記切欠部上に被覆された上記薄フィルムは張設状態であることを特徴とする請求項１〜３の何れかに記載の果実収納トレー。
【請求項５】
上記上面開口有底トレーの上記外周枠の外側面は外周枠上縁から下方向けて末広がり状のテーパ面により形成されてなる請求項１〜４の何れかに記載の果実収納トレー。
【発明の詳細な説明】
【技術分野】
【０００１】
本発明は果実等を包装するために使用される果実収納トレーに関するものであり、非常に高い緩衝機能を有する果実収納トレーを提供することを目的とする。
【背景技術】
【０００２】
従来、柔軟な熱可塑性合成樹脂薄フィルムの表面に平坦面を介して複数の果実収納凹部を形成し、当該フィルムを硬質のトレー上面に張設し、これら果実収納凹部内に果実を宙吊り状態で収納することにより、果実損傷防止機能を有する果実収納トレーが提案されている（特許文献１）。
【０００３】
かかるトレーは、果実収納凹部に果実を収納すると、上記薄フィルムが果実の下半部に被覆され、かかる状態において収納果実の底面がトレー底面に接触することなく果実を宙吊り状態で支持するものである。
【先行技術文献】
【特許文献】
【０００４】
【特許文献１】特開２００９−９６５４７
【発明の概要】
【発明が解決しようとする課題】
【０００５】
ところで、上記果実収納凹部は柔軟な熱可塑性合成樹脂薄フィルムに平坦面を介して形成されているため、該果実収納凹部の開口上縁（エッジ部分）も全周に亙り柔軟であり、輸送運搬中に開口部上縁により果実が傷付くこともなく、高い緩衝機能を有するものであった。
【０００６】
しかしながら、上記果実収納凹部の開口上縁の一部に硬質な材質のトレーの外周枠が近接しているため、さらなる緩衝性能の向上が望まれている。
【０００７】
本発明は上記課題に鑑みてなされたものであり、熱可塑性合成樹脂薄フィルムにて果実を宙吊り包装する果実収納トレーであって、果実収納凹部に隣接するトレー外周枠に切欠部を設け、該切欠部を上記薄フィルムで被覆することにより、果実収納凹部に収納された果実の緩衝性をさらに向上させた果実収納トレーを提供することを目的とする。
【課題を解決するための手段】
【０００８】
上記の目的を達成するため本発明は、
第１に、柔軟性のある熱可塑性合成樹脂薄フィルムの一面に平坦面を介して柔軟性のある果実収納凹部を塑性変形により形成し、かつ上記薄フィルムの周囲に柔軟性のある係合用折曲部を形成し、上面開口有底トレーの外周枠により構成される上面開口部分に、上記熱可塑性合成樹脂薄フィルムを被覆して、該薄フィルムをその上記一面が上記開口部分に水平方向に伸張した状態で張設し、かつ上記張設状態で上記薄フィルムと上記外周枠とを接合し、上記果実収納凹部に果実を収納した状態において、上記果実収納凹部と上記トレーの底板間に空間を介在させることにより、上記フィルムにより上記果実を宙吊り状態で支持し得るように構成し、上記外周枠における上記果実収納凹部の開口上縁に近接する部分に、上記外周枠を凹状に切り欠いた切欠部を設け、上記薄フィルムの上記係合用折曲部により上記切欠部を被覆するように構成したものであることを特徴とする果実収納トレーにより構成される。
【０００９】
このように構成すると、果実収納凹部に果実を宙吊り状態で支持し得ると共に、例えば運搬時の振動等により上記果実収納凹部内の果実が外周枠の方向に移動したとしても、果実は外周枠の切欠部に張設されている薄フィルムにより弾性的に受け止められるため、果実の損傷を防止することができる。
【００１０】
第２に、上記熱可塑性合成樹脂薄フィルムの上記果実収納凹部を上記平坦面を介して複数形成し、上面開口有底トレーの底面に上方向きの支持突起を設け、該支持突起の上端により上記熱可塑性合成樹脂薄フィルムの上記果実収納凹部間の裏面側を支持するように構成したものであることを特徴とする上記第１記載の果実収納トレーにより構成される。
【００１１】
このように構成すると、複数の果実収納凹部内に複数の果実を宙吊り状態で支持することができる。
【００１２】
第３に、上記切欠部は、上記複数の果実収納凹部の各開口上縁に近接する外周枠に、各果実収納凹部に対応して設けられているものであることを特徴とする上記第２記載の果実収納トレーにより構成される。
【００１３】
このように構成すると、複数の果実収納凹部に収納された果実が、運搬時の振動等により外周枠の方向に移動したとしても、果実は対応する切欠部に張設されている薄フィルムにより弾性的に受け止められるため、複数の果実の収納状態においても果実の損傷を防止することができる。
【００１４】
第４に、上記切欠部上に被覆された上記薄フィルムは張設状態であることを特徴とする上記第１〜３の何れかに記載の果実収納トレーにより構成される。
【００１５】
よって、切欠部上の上記薄フィルムに上記果実が当接しても、該薄フィルムが弾性的に伸張変形して果実を受け止めるため、果実を傷付けることはない。
【００１６】
第５に、上記上面開口有底トレーの上記外周枠の外側面は外周枠上縁から下方向けて末広がり状のテーパ面により形成されてなる上記第１〜４の何れかに記載の果実収納トレーにより構成される。
【００１７】
このように構成すると、例えば上面開口有底箱体に上記果実収納トレーを複数個収納する場合、隣接する外周枠の外側面同士を当接させることで、当接した両外側面は互いに押し合う方向の弾性力を作用させるので、上記箱体内において各果実収納トレーを安定して収納することができる。
【発明の効果】
【００１８】
本発明は上述のように構成したので、果実を熱可塑性合成樹脂薄フィルムの果実収納凹部において宙吊り状態で支持し得ると共に、上記凹部内の果実が硬質の外周枠に当接することのない緩衝性の非常に高い果実収納トレーを実現したものである。
【００１９】
また、複数の果実を上記薄フィルムの複数の果実収納凹部において宙吊り状態で支持し得ると共に、上記凹部内の各果実が硬質の外周枠に当接することがなく、複数の果実の収納状態においても、緩衝性の非常に高い果実収納トレーを実現したものである。
【００２０】
また、上面開口有底箱体に複数個の果実収納トレーを安定して収納ることのできる果実収納トレーを実現したものである。
【図面の簡単な説明】
【００２１】
【図１】本発明に係る果実収納トレーの分解斜視図である。
【図２】同上トレーの斜視図である。
【図３】（ａ）は同上トレーの平面図、（ｂ）は同上トレーの分解側面図である。
【図４】（ａ）は同上トレーの外周枠の切欠部近傍の拡大断面図、（ｂ）は同上トレーの切欠部近傍の拡大側面図である。
【図５】（ａ）は同上トレーの熱可塑性合成樹脂薄フィルムの加熱工程を示す成形型の断面図を含む説明図、（ｂ）は同上トレーの熱可塑性合成樹脂薄フィルムの成形工程を示す成形型の断面図を含む説明図である。
【図６】同上トレーに果実を収納した状態を示す側面断面図である。
【図７】同上トレーの他の実施形態の分解斜視図である。
【図８】同上トレーの他の実施形態の斜視図である。
【図９】同上トレーを上面開口有底箱体に収納した状態を示す同箱体の側面断面図である。
【図１０】同上トレーの果実収納凹部の一部拡大断面図である。
【発明を実施するための形態】
【００２２】
以下、添付図面に従って、本発明に係る果実収納トレー１０の実施形態を詳細に説明する。
【００２３】
図１は果実収納トレー１０の熱可塑性合成樹脂薄フィルム１と当該薄フィルム１が被せられる硬質な上面開口有底トレー２を示すものである。上記熱可塑性合成樹脂薄フィルム１は薄くかつ柔軟な薄フィルムにより形成されており、その略長方形状の平坦面１ａに該平坦面１ａを介して複数の柔軟な果実収納用凹部３が塑性変形により形成されている。また、上記平坦面１ａの周囲には該平坦面１ａから略直交する方向に柔軟な係合用折曲部１ｂが上記薄フィルム１の外周部として一体的に形成されている。
【００２４】
上記果実収納凹部３の形状は、収納される果実の形状に合わせてその下半部の形状と同様の形状とされており、本実施形態ではイチジクの下半部の形状となっている。
【００２５】
上記熱可塑性合成樹脂薄フィルム１は、その厚さが１０μｍ〜３００μｍの極めて薄い柔軟性のあるフィルムであり、その材質はポリエチレン、ポリプロピレン、ポリウレタン、ポリスチレン等の薄膜透明又は半透明又は不透明の熱可塑性フィルムが用いられる。尚、以下の実施形態において、熱可塑性合成樹脂薄フィルム１の厚さは上記と同様である。尚、図１に示す実施形態の熱可塑性合成樹脂薄フィルム１はイチジクを包装するためのものであり、その厚さは９０μｍである。
【００２６】
上記熱可塑性合成樹脂薄フィルム１の平坦面１ａの面積は、上記トレー２の外周枠２’の面積と略同一か若干小さく形成する。よって、上記熱可塑性合成樹脂薄フィルム１は、図２に示すように、その係合用折曲部１ｂの部分を以って、上面開口有底トレー２の上面開口２ａを閉鎖するように、外周枠２’により形成される上面開口２ａの周縁に被せられ、薄フィルム１の一面である平坦面１ａを水平方向の縦横方向に若干牽引（伸張）した張設状態（ピンと張った状態）で被覆する（図２参照）。そして、上記トレー２の外周枠２’の上縁２”の複数の接着箇所Ｐ（図２の斜線部分）と上記薄フィルム１裏面とをホットメルト接着剤、或いはスポット溶着等により接合（接着）することにより、果実収納トレー１０が構成される。また、上記トレー２の支持突起６（後述）の上端の接着箇所Ｐ’と上記薄フィルム１の平坦面１ａ’の裏面も接着される。
【００２７】
上記トレー２は、略長方形の底面２ｂと該底面２ｂの周囲から四方上方に立ち上がる外周枠２’とから形成された上面開口の箱状のトレーであり、このトレー２は全体が硬質のプラスチックにより形成されている。このトレー２の上記底面２ｂには、上記熱可塑姓合成樹脂薄フィルム１の上記果実収納凹部３に各々対応する位置に、下向き凹状の凹部４が形成されている。この凹部４は図３（ｂ）に示すように、上記トレー２に上記熱可塑性合成樹脂薄フィルム１を被覆した場合（図３（ｂ）の二点鎖線参照）、果実収納凹部３の底部３ａと上記凹部４の底板４ａとの間に空間Ｓを形成し、これにより果実収納凹部３による果実の宙吊り包装を実現するものである。
【００２８】
また、上記底面２ｂにおける上記凹部４間の中央には支持突起６が上向きに突出形成されている。この支持突起６の高さは、上記外周枠２’の上端２”の高さと同じ高さに形成されており、上記外周枠２’に上記熱可塑性合成樹脂フィルム１を被覆したとき、上記果実収納凹部３によって囲まれる中央の平坦面１ａ’の裏面に接し、これにより上記果実収納凹部３内に果実が収納されたとき、当該果実を宙吊り状態に支持するものである。尚、上述のように上記支持突起６の上端は上記薄フィルム１の平坦面１ａ’の裏面に接合（接着）される。
【００２９】
上記外周枠２’は、図３（ｂ）にその断面を示すように、上記トレー２の底面２ｂの周囲から一端上方に立ち上がる内面２ｃと、内面２ｃ上端周囲に形成される幅狭の上記上縁２”と、該上縁２”から下方向けて末広がり状のテーパ面Ｔにより形成された外面２ｃ’により形成されており、上記外面２ｃ’の下端縁の全周には外方向に湾曲した外向縁部２ｃ”が形成されている。このように、上記外周枠２’は、全体として、外周枠上縁２”から下方向けて末広がり状のテーパ面Ｔにより形成されている。
【００３０】
上記外周枠２’における上記果実収納凹部３の開口上縁３’に近接する部分には、上記外周枠２’の上縁２”を下方向けて凹状に切り欠いた切欠部５ａ，５ｂを設け、上記薄フィルム１の上記平坦面１ａ及び上記係合用折曲部１ｂにより上記各切欠部５ａ，５ｂを被覆するように構成されている（図２参照）。
【００３１】
上記薄フィルム１の各果実収納凹部３は、薄フィルム１の平坦面１ａ，１ａ’を介して塑性変形により凹状に形成されているが、上述のように薄フィルム自体が１０μｍ〜３００μｍ（本実施形態では９０μｍ）と極めて薄いので、上記平坦面１ａ，１ａ’及び上記果実収納凹部３は何れも柔軟な状態を維持している（図１０参照）。よって、上記果実収納凹部３の開口上縁３’（開口エッジ部分）も上記凹部３の全周に亘り柔軟に形成されており、開口上縁３’の裏面側に硬質な部材は存在しないので、上記果実収納凹部３内に果実を収納しても、果実が上記開口上縁３’により傷付くことはないように構成されている。
【００３２】
上記切欠部５ａ，５ｂが形成されているのは、図２に示すように、上記熱可塑性合成樹脂薄フィルム１を上記トレー２に装着した状態において、上記果実収納凹部３の開口上縁３’と該薄フィルム１の外周縁１”とが近接する部分（開口上縁３’中、符号「３ａ’」の開口上縁の部分）に対応する上記トレー２の外周枠２’の上縁部分である。即ち、上記外周枠２’における上記果実収納凹部３の上記開口上縁３ａ’に近接する部分に、上記外周枠２’を凹状に切り欠いた切欠部５ａ,５ｂを設ける。尚、上述のように、上記果実収納凹部３の開口上縁３’中、上記フィルム１の外周縁１”（上記トレー２の外周枠２’）に近接する開口上縁を符号「３ａ’」で示す。
【００３３】
よって、上記トレー２の長手方向の外周枠２’の対向辺においては、果実収納凹部３の開口上縁３ａ’に近接する部分に２個ずつの切欠部５ａ，５ａが形成されており、上記トレー２の短辺方向の外周枠２’の対向辺においては、果実収納凹部３の開口上縁３ａ’に近接する部分に２個ずつの切欠部５ｂ，５ｂが形成される。よって、上記外周枠２’の周囲には計８箇所の切欠部５ａ，５ｂが形成されている。
【００３４】
この切欠部５ａ，５ｂは、図７、図８に示すように果実収納凹部３の数が増えた場合においても、果実収納凹部３に対応して、各果実収納凹部３の開口上縁３ａ’に近接する外周枠２’に果実収納凹部３に対応して各々形成される。尚、図７、図８の実施形態では、果実収納凹部が１５個（５×３）形成されているので、上記切欠部５ａ,５ｂもトレー２の外周枠２”の対向する長辺側に５個ずつの切欠部５ａが設けられ、対向する短辺側に３個ずつの切欠部５ｂが設けられ、計１６個の切欠部５ａ,５ｂが設けられている。
【００３５】
そして、上記各切欠部５ａ，５ｂには、図２、図４に示すように、上記熱可塑性合成樹脂薄フィルム１が切欠部５ａの上面側５’及び外周側面側５”に張設されているため、図４（ａ）（ｂ）に示すように、上記上面側５’の薄フィルム１の平坦面１ａ部分に上方から下方（矢印ａ方向）に力が作用しても、上記切欠部５ａが存在するため、上記薄フィルム１が下方に弾性的に撓むことができ（図４（ａ）（ｂ)二点鎖線ｔ参照）、これにより果実が上記トレー２の外周枠２’に当接することを防止することができ、果実への衝撃を緩衝することができる。
【００３６】
また、図４（ａ）に示すように、上記外周側面側５”に張設されている薄フィルム１に外方向（矢印ｂ方向）に力が作用しても、上記切欠部５ａが存在するため、上記薄フィルム１の係合用折曲部１ｂが外方に弾性的に撓むことで（図４（ａ）二点鎖線ｔ’参照）、果実が外周枠２’に直接当接することを防止することができ、これにより果実への衝撃を緩衝することができる。このように、上記長辺側の切欠部５ａの機能を説明したが、短辺側の上記切欠部５ｂにおいても上記切欠部５ａと全く同様の機能を有するものである。
【００３７】
上記熱可塑性合成樹脂薄フィルム１は、図５（ａ）（ｂ）に示す真空成型法により形成することができる。上記薄フィルム１は薄フィルムの成形型７により成形する（図５（ａ）参照）。上記成形型７は、上面の平坦面７ａに複数の果実収納凹部形成用凹型８が上記平坦面７ａを介して凹設され、さらに該凹型７内部に複数の吸引用の小貫通孔９が成形型７の下向きに貫通して形成された略直方体形状をなすものである（図５参照）。この成形型７を網状板１１上に水平に設置する。
【００３８】
その後、平面状の熱可塑性合成樹脂薄フィルム１を上記成形型７の上記平坦面７ａ上方に配置し、ヒータＨにより数秒間加熱してフィルム１を軟化させる。尚、加熱時間はフィルム材質及び厚みに合わせて調整することが好ましい。そして、上記ヒータＨにより軟化させた上記熱可塑性合成樹脂薄フィルム１を上記成形型７方向に下降させ、そのフィルム面を上記成形型７の平坦面（上面）７ａに接触させる（図５（ａ）熱可塑性合成樹脂薄フィルム１の二点鎖線の状態）。次に、真空吸引装置（図示せず）にて、上記成形型７の下方であって上記網状板１１下方から空気を矢印ｃ，ｃ’方向（下方）に吸引する。すると、上記吸引用小貫通孔９を介して成形型７下方に真空吸引（矢印ｃ）され、上記薄フィルム１が上記凹型８内に吸着されて該凹型８に沿う果実収納凹部３が塑性変形により形成される。また、成形型７の周囲において網状板１１下方に真空吸引（矢印ｃ’）され、これにより図１に示す柔軟な果実収納凹部３及び柔軟な係合用折曲部１ｂを有する柔軟な熱可塑性合成樹脂薄フィルム１を塑性変形により形成することができる。上記凹部３が形成された後、更に真空吸引することで、果実収納凹部３の上記吸引用小貫通孔９の対応箇所に通気用透孔３”をフィルムに貫通形成することもできる（図１参照）。
【００３９】
上記凹型７の形状は例えばイチジクの下半部の形状となっており、上記凹型７に吸着されることにより、上記真空吸引によりイチジクの下半部の形状の果実収納凹部３が塑性変形により形成される。また、上記成形型７の外周部においても網状板１１の下方向けて真空吸引されるため（矢印ｃ’）、上記熱可塑性合成樹脂薄フィルム１の上記成形型７の外周の平坦面７ａより外部は成形型６の側面に沿って下方に折れ曲がるように上記成形型６の外側面に吸着され、係合用折曲部１ｂがフィルム１’の平坦面１ａの周囲に塑性変形により形成される（図５（ｂ）参照）。尚、上記係合用折曲部１ｂの外周の水平部分１ｂ’は不要であるので、該水平部分１ｂ’は位置ｄにて切除する。その後、上記成形型７から成形後の上記薄フィルム１を離脱すれば良い。
【００４０】
上記上面開口有底トレー２も同様の真空成型法により形成することができるが、該トレー２は硬質のプラスチックとして成形されるものである。即ち、この上面開口有底トレー２は例えばＰＥＴを材料として成形されるものであり、成形後においては図１の形状を維持する硬質なトレーとして形成されるものである。
【００４１】
このような方法により成型された熱可塑性合成樹脂薄フィルム１は、柔軟性のある複数の果実収納凹部３が塑性変形により形成された平坦面１ａと、その平坦面１ａの周縁の全周から略直交する方向（図１では下方向）に柔軟性のある係合用折曲部１ｂが塑性変形により上記平坦面１ａと一体的に形成されている。
【００４２】
この熱可塑性合成樹脂薄フィルム１は、成型後においては図１に示すような形状を維持しているが、その厚さが極めて薄いため、全体的に柔軟性を有しており、２つ折り或いは３つ折りに折り畳む等によりコンパクトに収納できるし、上下方向に積み重ねた場合は、上記係合用折曲部１ｂ及び果実収納凹部３が上下方向に不定形に圧縮された状態となり、多数のフィルム１を積み重ねても嵩張らずに収納、運搬が可能となる。尚、上記凹部３等は不定形に圧縮した後においても、塑性変形しているため元の果実収納凹部３、係合用折曲部１ｂの形状を維持しており、物品を収納することに関して何ら支障はない。
【００４３】
本発明に係る果実収納トレー１０は、上述のように構成されるものであるから、果実収納トレー１０を構成するには、熱可塑性合成樹脂薄フィルム１を、その係合用折曲部１ｂを以って上面開口有底トレー２の開口２ａを構成する外周枠２’に被覆し、上記トレー２の上面開口２ａ及び切欠部５ａ，５ｂの上面側５’と外周側面側５”を上記平坦面１ａと上記係合用折曲部１ｂにて被覆する（図２参照）。
【００４４】
そして、かかる被覆状態で、接着部分Ｐ，Ｐ’をホットメルト接着剤或いはスポット溶着等で接合（接着）する。
【００４５】
上記熱可塑性合成樹脂薄フィルム１を硬質な上記トレー２に被覆すると、上記熱可塑性合成樹脂薄フィルム１は、図２に示すように、縦横水平方向に伸張された状態で（ピンと張った状態）で上記外周枠２に張設される。このとき、上記薄フィルム１の平坦面１ａ，１ａ’は、水平な張設状態となり、上記切欠部５ａ，５ｂの上面側５’においても、上記薄フィルム１が水平に張設されて平坦面１ａが形成されている。さらに、上記切欠部５ａ,５ｂの外周側面側５”においても上記薄フィルム１が垂直に張設されて垂直平坦面１ａ”を形成した状態となる（図２、図４）。
【００４６】
かかる状態において、果実収納凹部３内にイチジク等の果実を収納すれば良い（図６参照）。すると、果実Ｆの下半部に果実収納凹部３の熱可塑性合成樹脂薄フィルム１が密着し、果実収納凹部３の底部３ａとトレー２の凹部４の底板４ａとの間には空間Ｓが形成され、当該果実収納凹部３において、上記トレー２の外周枠２’の上縁２”と支持突起６により果実Ｆを吊下げ状態で支持することができる。
【００４７】
かかる状態においては、果実収納凹部３の開口上縁３’（開口エッジ）はその全周に亘り柔軟な薄フィルム１によって構成されているため、上記開口上縁３’自体も柔軟であり（図１参照）、当該果実収納凹部３内の果実Ｆが上記開口上縁３’によって傷付くことはなく、果実を緩衝包装することができる（図１０）。
【００４８】
さらに、上記外周枠２’には、切欠部５ａ，５ｂが形成され、それらの上面側５’及び外周側面側５”には、上記薄フィルム１の平坦面１ａ及び係合用折曲部１ｂの垂直平坦面１ａ”が張設されているので、運搬時の振動等により上記果実収納凹部３内の果実Ｆが外周枠２’の方向に、薄フィルム１と共に移動したとしても、果実Ｆは外周枠２’の切欠部５ａ,５ｂに張設されている薄フィルム１（平坦面１ａ、垂直平坦面１ａ”）が弾性的に撓んで（図４（ａ）(ｂ)の薄フィルム１の二点鎖線ｔ参照）、該薄フィルム１により弾性的に受け止められるため、該果実Ｆが硬質の外周枠２’に当接することはなく、硬質の外周枠２’への当接による果実Ｆの損傷等を防止することができる。例えば、運搬時の振動等により上記果実Ｆが果実収納凹部３に収納された状態で、上記切欠部５ａ，５ｂの上面側に上方から下方向きに当接したとしても、上記切欠部５ａ，５ｂに張設された上記薄フィルム１が下方向きに撓むため（図４（ａ）(ｂ)二点鎖線ｔ参照）、上記果実Ｆが外周枠２の上縁２”に接触することを防止することができる。
【００４９】
また、運搬時の振動等により上記果実Ｆが上記果実収納凹部３に収納された状態で、横方向（水平方向）に振動して、上記外周枠２’の方向に薄フィルム１と共に移動して上記切欠部５ａ,５ｂの外周側面側５”の垂直平坦面１ａ”に内側から当接したとしても、上記垂直平坦面１ａ”の薄フィルムが外方に撓むため（図４（a）薄フィルム１の二点鎖線ｔ’参照）、果実は上記薄フィルム１により弾性的に受け止められ、これにより上記果実Ｆが外周枠２’の内側面に接触することを防止でき、果実の損傷を防止することができる。
【００５０】
図９は、上面開口有底箱体１２内に上記果実収納トレー１０の２個を隣接して収納した状態を示す図である。このように２つの果実収納凹部１０，１０を収納した状態において、隣接する果実収納トレー１０，１０の上記外周枠２’の末広がり状のテーパ面Ｔにより構成された外面２ｃ’同士が互いに弾性的に当接するように構成する。このように構成すると、隣接する外周枠２’の外面２ｃ’同士が当接することで、末広がり状の外側面２ｃ’が末広がり方向とは反対方向に互いに押圧され、その結果、当接した両外側面２ｃ’は互いに押し合う方向（矢印ｄ，d’方向）の弾性力を作用させるので、上記箱体１２内において各果実収納トレー１０のがたつきを防止して、各トレー１０を安定して収納保持することができる。尚、上記両トレー１０，１０同士が当接する外側面２ｃ’とは反対側の外側面２ｃ’は、各々箱体１２の内側面１２ａに弾性的に当接するように構成することで、確実に果実収納トレー１０のがたつきを防止することができる。
【００５１】
本発明は上述のように、果実を薄フィルム１の果実収納凹部３において宙吊り状態で支持し得ると共に、例えば果実の運搬時の振動等により、上記凹部３内の果実が薄フィルム１と共に外周枠２’の方向に振動したとしても、果実は切欠部５ａ,５ｂの薄フィルム１により弾性的に受け止められるため、硬質の外周枠２’に当接して傷付くことを効果的に防止することができ、果実の宙吊り緩衝機能と相俟って、極めて緩衝性能の高い果実収納トレーを実現したものである。
【００５２】
また、複数の果実を薄フィルム１の複数の果実収納凹部３において宙吊り状態で支持し得ると共に、上記果実の運搬時の振動等により、上記凹部３内の各果実が薄フィルム１と共に外周枠２’の方向に振動したとしても、各果実が対応する切欠部に張設された薄フィルム１により弾性的に受け止められるため、複数の果実を収納した状態においても、果実の損傷を防止することのできる、極めて緩衝性能の高い果実収納トレーを実現したものである。
【００５３】
また、上面開口有底箱体１２に複数個の果実収納トレー１０をがたつくことなく安定して収納することのできる果実収納トレーを実現したものである。
【産業上の利用可能性】
【００５４】
本発明の果実収納トレーは緩衝機能が極めて優れているので、表面が柔らかく、傷の入りやすい高級果実（例えば苺、イチジク、マンゴー等）のトレーその他の果実のトレーとして広く用いられると共に、果実に限らず、野菜等のように緩衝包装が必要な食品、その他、工業製品（特に精密部品等）の緩衝包装としても広く用いることができる。
【符号の説明】
【００５５】
１            熱可塑性合成樹脂薄フィルム
１ａ，１ａ’  平坦面
１ａ”        垂直平坦面
１ｂ          係合用折曲部
２            上面開口有底トレー
２’          外周枠
２ａ          上面開口部分
２ｂ          底面
２ｃ’        外側面
４            凹部
４ａ          底板
３            果実収納凹部
３’，３ａ’  開口上縁
５ａ，５ｂ    切欠部
６            支持突起
Ｐ，Ｐ’      接着部
Ｓ            空間
Ｔ            テーパ面
【図１】
0005410326.tif 000002
【図２】
0005410326.tif 000003
【図３】
0005410326.tif 000004
【図４】
0005410326.tif 000005
【図５】
0005410326.tif 000006
【図６】
0005410326.tif 000007
【図７】
0005410326.tif 000008
【図８】
0005410326.tif 000009
【図９】
0005410326.tif 000010
【図１０】
0005410326.tif 000011